(57)【特許請求の範囲】
【請求項１】
陰極線管と前記陰極線管を収容する筐体を有する表示装置において、
使用者が操作を行うための操作機能部を搭載する操作機能部搭載基板と、
前記筐体の中央に配置され、前記陰極線管に電源を供給し、前記陰極線管における電子ビームの偏向を行う電源、偏向機能部を搭載する電源、偏向機能部搭載基板と、
前記操作機能部搭載基板と前記電源、偏向機能部搭載基板の間であって、前記陰極線管の下部に位置されて、前記陰極線管の前記管軸方向の地磁気の磁界と前記陰極線管の前記管軸方向とは直交する水平方向の磁界を検出する地磁気センサーと、
を備えることを特徴とする表示装置。
【請求項２】
前記地磁気センサーは、前記陰極線管の前記管軸方向の磁界を検出する第１コイルと、前記陰極線管の前記管軸方向とは直交する水平方向の磁界を検出する第２コイルを有し、前記第１コイルと前記第２コイルは１つの基板に搭載されている請求項１に記載の表示装置。
【請求項３】
前記地磁気センサーの前記基板を保持するホルダーと、
前記陰極線管を保持するシャーシに対して前記ホルダーを支持する支持部と、
を有する請求項２に記載の表示装置。
【請求項４】
前記支持部と前記ホルダーは、前記地磁気センサーの前記基板を、前記管軸方向と、前記管軸方向に直交する左右水平方向と、そして前記管軸方向と前記左右水平方向と直交する上下方向に関して位置決めする請求項３に記載の表示装置。
【請求項５】
前記支持部は、前記陰極線管のパネル部の下部を支持する陰極線管支えを有する請求項２に記載の表示装置。
【請求項６】
前記支持部は、前記シャーシと一体に形成されている請求項２に記載の表示装置。
【発明の詳細な説明】
【０００１】
【発明の属する技術分野】
本発明は、陰極線管を有する表示装置に関し、特に陰極線管に影響を与える地磁気を検出するための地磁気センサーを備える陰極線管を有する表示装置に関するものである。
【０００２】
【従来の技術】
陰極線管を有する表示装置として、たとえばコンピュータのディスプレイ装置を例に挙げる。この種のディスプレイ装置は、カラー陰極線管を有しており、陰極線管はアパーチャグリルやシャドウマスク等の色選別マスクを備えている。地磁気は、このような陰極線管のビームランディング変化と画歪に影響を与えることが知られている。
地磁気センサーは、陰極線管の管軸方向の地磁気と、管軸方向と直交する左右水平方向の地磁気をそれぞれ検出して、それぞれの地磁気の影響をランディング補正回路へフィードバックする。ランディング補正回路は、感知した地磁気に応じて、管軸方向の磁界補正コイルと管軸と、直交する方向の磁界補正コイルに対して供給する電流の量をコントロールする。これによって、陰極線管におけるビームランディング変化と画歪を低減して、電子ビームに対する地磁気による磁界の影響を最小限にするようになっている。
【０００３】
従来のディスプレイ装置においては、筐体の中に電源、偏向機能部搭載基板板が、前面から見て右側と左側に垂直に立てて設けられている。このために地磁気センサーは、筐体の中央部に横置きに保持するようにしている。
図１７では、従来のディスプレイ装置の例を示しており、筐体１０００の中には陰極線管１００１が収容されている。電源、偏向機能部搭載基板１００２は、筐体１０００内において矢印Ｔ方向から見て左右位置にそれぞれ配置されている。地磁気センサーは、電源、偏向機能部搭載基板１００２からの磁気の影響を避けるために、筐体１０００内の中央において横置きに保持されている。
【０００４】
【発明が解決しようとする課題】
ところが、必要に応じて、電源、偏向機能部搭載基板１００２を、筐体１０００の中央において横置きに設定しようとする場合には、地磁気センサーを水平に横置きしつつ、電源、偏向機能部搭載基板１００２から発生する磁界からの距離を確保しながら、水平地磁気を正確に検知するようにしたいという要望がある。
そこで本発明は上記課題を解消し、筐体の中央に電源、偏向機能部搭載基板を配置する場合であっても、この電源、偏向機能部搭載基板からの磁界の影響を防いで、地磁気センサーにより地磁気を正確に検出することができる表示装置を提供することを目的としている。
【０００５】
【課題を解決するための手段】
請求項１の発明は、陰極線管と前記陰極線管を収容する筐体を有する表示装置において、使用者が操作を行うための操作機能部を搭載する操作機能部搭載基板と、前記筐体の中央に配置され、前記陰極線管に電源を供給し、前記陰極線管における電子ビームの偏向を行う電源、偏向機能部を搭載する電源、偏向機能部搭載基板と、前記操作機能部搭載基板と前記電源、偏向機能部搭載基板の間であって、前記陰極線管の下部に位置されて、前記陰極線管の前記管軸方向の地磁気の磁界と前記陰極線管の前記管軸方向とは直交する水平方向の磁界を検出する地磁気センサーと、を備えることを特徴とする表示装置である。
【０００６】
請求項１では、操作機能部搭載基板は、使用者が操作を行うための操作機能部を搭載している。
電源、偏向機能部搭載基板は、筐体の中央に配置されており、電源、偏向機能部搭載基板は、陰極線管に電源を供給し、陰極線管における電子ビームの偏向を行う電源、偏向機能部を搭載している。
地磁気センサーは、操作機能部搭載基板と電源、偏向機能部搭載基板の間に配置されている。この地磁気センサーは、陰極線管の下部に位置されており、陰極線管の管軸方向の地磁気の磁界と、管軸方向とは直交する地磁気の水平方向の磁界を検出する。
これにより、地磁気センサーは、筐体の中央に配置された電源、偏向機能部搭載基板からは離して配置でき、電源、偏向機能部搭載基板の発生する磁界の影響を受けずに、陰極線管の下部に配置でき、地磁気センサーは地磁気の磁界を確実にかつ正確に検出できる。
【０００７】
請求項２の発明は、請求項１に記載の表示装置において、前記地磁気センサーは、前記陰極線管の前記管軸方向の磁界を検出する第１コイルと、前記陰極線管の前記管軸方向とは直交する水平方向の磁界を検出する第２コイルを有し、前記第１コイルと前記第２コイルは１つの基板に搭載されている。
請求項２では、第１コイルは陰極線管の管軸方向の磁界を検出する。第２コイルは、陰極線管の管軸方向とは直交する水平方向の磁界を検出する。これらの第１コイルと第２コイルは１つの基板に搭載されている。
これにより１つの基板を用意すれば、１度に第１コイルと第２コイルを設定できる。
【０００８】
請求項３の発明は、請求項２に記載の表示装置において、前記地磁気センサーの前記基板を保持するホルダーと、前記陰極線管を保持するシャーシに対して前記ホルダーを支持する支持部と、を有する。
請求項３では、ホルダーは地磁気センサーの基板を保持する。支持部は、陰極線管を保持するシャーシに対してホルダーを支持する。
【０００９】
請求項４の発明は、請求項３に記載の表示装置において、前記支持部と前記ホルダーは、前記地磁気センサーを、前記管軸方向と、前記管軸方向に直交する左右水平方向と、そして前記管軸方向と前記左右水平方向と直交する上下方向に関して位置決めする。
請求項４では、支持部の位置決め部は、ホルダーの地磁気センサーを、管軸方向と、左右水平方向と、上下方向に関して位置決めすることができる。このことから地磁気センサーは、陰極線管が受ける地磁気の影響と同じ地磁気の影響を受けるので、地磁気センサーの検出結果により、地磁気の影響による陰極線管のビームランディング変化や画歪の補正を行える。
【００１０】
請求項５の発明は、請求項２に記載の表示装置において、前記支持部は、前記陰極線管のパネル部の下部を支持する陰極線管支えを有する。
請求項５では、支持部は、陰極線管のパネル部の下部を支持するための陰極線管支えを有している。これにより陰極線管のパネル部の下部は、陰極線管支えにより確実に保持できる。
【００１１】
請求項６の発明は、請求項２に記載の表示装置において、前記支持部は、前記シャーシと一体に形成されている。
請求項６では、支持部はシャーシと一体に形成することで、部品点数が減らせる。
【００１２】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
図１は、本発明の表示装置の好ましい実施の形態を示す後側から見た斜視図であり、図２は、図１の表示装置の前側から見た斜視図である。図３は、表示装置の右側面から見た右側面図である。
図１〜図３において、表示装置１０は、たとえばコンピュータのモニターディスプレイ装置である。この表示装置１０は、概略的には陰極線管１２と筐体１４を有している。陰極線管１２は、たとえばカラー陰極線管であり、内部にはシャドウマスクもしくはアパーチャグリルの色選別マスク等を有している。
【００１４】
陰極線管１２は、パネル部１６とファンネル部１８を有している。パネル部１６の周囲には、防爆のための防爆バンド２０が巻かれている。
筐体１４はたとえばプラスチックにより作られており、筐体１４は、陰極線管１２、シャーシ２２、各種基板等を収容している。シャーシ２２は、たとえばアルミニウムで作られており、シャーシ２２は陰極線管１２、各種基板を保持している。シャーシ２２は陰極線管１２の下部に位置しており、シャーシ２２は、操作機能部搭載基板２８、電源、偏向機能部搭載基板３０、ビデオ基板３２、支持部３４等を搭載している。
【００１５】
操作機能部搭載基板２８は、陰極線管１２のパネル部１６の下部に位置しており、使用者が操作するボタンやつまみ等によって入力される操作機能を発揮する操作機能部を搭載している。操作機能部は、たとえば使用者が陰極線管１２の画面表示においてコントラストや輝度の調整を行うような場合に必要な回路を有している。
電源、偏向機能部搭載基板３０は、陰極線管１２の電子銃１２Ａや、地磁気センサー４０、操作機能部搭載基板２８、ビデオ基板３２等に対して電源を供給するとともに、陰極線管１２内における電子ビームの偏向操作を行う機能を発揮する回路を有している。
ビデオ基板３２は、パーソナルコンピュータの本体からの映像信号を増幅して、陰極線管のカソードを駆動する機能を有するものである。
支持部３４は、図３に示すようにホルダー４２を支持しており、このホルダー４２には地磁気センサー４０が保持されている。
【００１６】
図４は、図３に示す支持部３４とシャーシ２２およびホルダー４２と地磁気センサー４０を示している。
支持部３４はシャーシ２２に対して固定されており、図示例では支持部３４とシャーシ２２は別体の部材である。この支持部３４は、たとえばアルミニウムにより作られている。
支持部３４は、陰極線管支え４４を有している。この陰極線管支え４４は、陰極線管１２のパネル部１６の下部１６Ａを直接支えている。このために陰極線管支え４４は２つのリブ４６を有している。地磁気センサー４０は、ホルダー４２の中に水平に保持されており、ホルダー４２は陰極線管支え４４に対して水平に固定されている。
【００１７】
図５は、支持部３４と、ホルダー４２および地磁気センサー４０の形状例を示している。図６は、支持部３４の一部省略した図面である。図７は、ホルダー４２を示しており、図８はホルダー４２およびこのホルダー４２に装着された地磁気センサー４０を示している。図９は、地磁気センサー４０の形状例を示している。
図５と図６に示すように、支持部３４は、ベース６０と上述した陰極線管支え４４は、ベース６０と同様にたとえばアルミニウムにより作られている。陰極線管支え４４は、上部４４Ａ、２つの側部４４Ｂおよび取付部４９を有している。この陰極線管支え４４はベース６０の上に固定されている。上部４４Ａは、図４に示した２つのリブ４６を有している。このリブ４６は、上部４４Ａの長手方向であるＸ方向に平行に形成されている。
図５と図６に示す取付部４９は、開口部６４，６６を有している。開口部６４は、逆方向の台形状を有している。２つの開口部６６は、長方形状の穴であり、開口部６４よりはやや下に位置していて、開口部６４の左右位置に配置されている。
【００１８】
次に、図５のホルダー４２の形状について、図７と図８を参照しながら説明する。
図７と図８においてホルダー４２は、地磁気センサー４０をＺ方向（上下方向）、Ｘ方向（左右水平方向）、Ｙ方向（前後方向）、および回転方向Ｒに関して固定して位置決めを行うことができる。
Ｘ方向、Ｙ方向およびＺ方向は互いに直交している。Ｒ方向は、Ｘ方向を軸として回転する方向である。
地磁気センサー４０の基板７０は、このホルダー４２によりＸ方向、Ｙ方向、Ｚ方向、そしてＲ方向に位置決めすることができる。
【００１９】
図７と図８に示すように、ホルダー４２は、当接面７２、爪部７４、２つの爪部７６、２つの押さえ部７８、ストッパー８０、２つのストッパー８２、２つのガイド部８６、２つの受け部８８、２つの受け部９０等を有している。
図８の爪部７４は、当接面７２からＹ方向に突出して形成されている。爪部７４の下部はテーパ部７４Ａとなっている。テーパ部７４Ａは２つ設けられている。
爪部７６は、爪部７４の左右位置に配置されており、Ｙ方向に突出している。この爪部７６は、Ｕ方向に弾性変形可能であり、当接面７２の面からは前方に突出している。
図７の受け部８８は左右位置に設けられており、受け部９０も左右位置に設けられている。これらの受け部８８，９０は、図１０と図１１に示すように、地磁気センサー４０の基板７０が完全に装着された状態で基板７０の下面を支える部分である。
【００２０】
図７のガイド部８６は、左右位置に設けられており、受け部９０と連続して形成されている。左右のガイド部８６，８６は、図１０に示すように基板７０を挿入方向Ｅに沿って挿入する場合の基板７０の挿入性を向上するためのガイド部分である。
図７の押さえ部７８は、やはり左右位置に設けられており、図１０と図１１に示すように基板７０が受け部８８，９０に受けた状態で、上方Ｚ１に浮き上がらないように基板７０の上面を押さえる部分である。
図８のストッパー８０，８２は、図１０に示すように基板７０が受け部８８，９０に載った状態で、基板７０が外部からの振動や落下等で基板７０が乗り上げないような高さを有している。すなわち図１１に示すように、ストッパー８０の高さＨ１とストッパー８２の高さＨ２は、受け部８８，９０の高さＨ３に比べて大きく設定されている。
図１１に示すように、ストッパー８０，８２と、当接面７２の内面９４は、Ｙ方向に関して基板７０を固定して位置決めを行う。図１２に示すホルダー４２の左右の内面９６は、基板７０のＸ方向に関して固定して位置決めを行う。図１１に示す押さえ部７８と受け部８８，９０は、基板７０のＺ方向に関して固定して位置決めを行う。
このようにして、ホルダー４２は基板７０をＸ，ＹおよびＺ方向に関する位置決めを行うことができるとともに、図１１のＲ方向に関しても位置決めが行われる。
【００２１】
図１３は、図７と図８に示すホルダー４２の平面図であり、爪部７４，７６およびストッパー８０，８２を示している。爪部７４は、Ｘ方向の幅Ｗを有している。爪部７６はＸ方向の幅Ｗ１を有している。爪部７４の幅Ｗは、図６の開口部６４の最も下側の幅Ｗ４とほぼ同じである。爪部７６の幅Ｗ１は、図６の開口部６６の幅Ｗ３とほぼ同じである。
図１５は、爪部７４と爪部７６およびリブ１１０を示している。このリブ１１０は、図１４に示すように、当接面７２の下部の左右位置にそれぞれ１つずつ設けられている。
当接面７２は、３つのテーパ面７２Ａ，７２Ｂを有している。テーパ面７２Ａとテーパ面７２Ｂは、このホルダー４２を射出成形して取り出す時に逃げのために形成する必要があるテーパ面である。このことから、このテーパ面７２Ｂのへこんだ分を補うために、テーパ面７２Ｂにはそれぞれリブ１１０が設けられている。
【００２２】
図１５では、ホルダー４２が陰極線管支え４４の取付部４９に対して装着されている状態の断面構造例を示している。
取付部４９の開口部６４には、爪部７６を通した後に、Ｚ２の方向に押し下げることで、爪部７４の溝７４Ｈに対して取付部４９の開口部６４付近の下の部分を差し込んで固定することができる。この場合には、ホルダー４２の２つのテーパ面７２Ｂのリブ１１０が取付部４９の内面９４に突き当たることから、ホルダー４２は回転方向Ｒに関して回転するのを防止することができるとともに、ホルダー４２の中心線ＣＬ、すなわち基板７０は、取付部４９に対して９０度水平に保つことができる。
【００２３】
図９は、地磁気センサー４０の構成例を示している。
地磁気センサー４０は、１つの基板７０と、この基板７０に搭載されたコネクタ１２０、第１コイル１２１、第２コイル１２２、およびその他の電子素子１２３等を搭載している。回路基板７０は、たとえばガラスエポキシ基板やその他の種類の基板を用いることができる。
第１コイル１２１の軸方向は、図２に示す陰極線管１２の管軸１４０と同じ方向に向ける。第２コイル１２２の軸方向は、図２に示す管軸１４０とは直交しかつＸ方向と平行な左右水平方向１４１に向ける必要がある。
この第１コイル１２１が管軸１４０の方向に向いており、第２コイル１２２が管軸方向と直交する左右水平方向１４１に向いている必要があるのは、地磁気センサー４０と図２の陰極線管１２が、地磁気に対して同じ向きに位置していることで、地磁気が陰極線管１２に与える影響と同じ影響を地磁気センサー４０で受けるようにするためである。これにより、地磁気センサー４０は、陰極線管１２が受ける地磁気の影響を正確に検出できる。
【００２４】
図１６は、地磁気センサー４０の第１コイル１２１と第２コイル１２２、ランディング補正回路１５０と、管軸方向の地磁気の影響を補正する地磁気補正コイル１６０と左右水平方向の地磁気の影響を補正する地磁気補正コイル１６１を示している。
ランディング補正回路１５０は、第１コイル１２１が地磁気を検出した際の信号Ｓ１に基づいて、管軸方向の地磁気補正コイル１６０に通電する電流量をコントロールする。またランディング補正回路１５０は、第２コイル１２２が地磁気を検出した際の信号Ｓ２に基づいて、左右水平方向の地磁気補正コイル１６１に対して通電する電流量をコントロールする。
これにより、陰極線管１２における電子ビームのランディング変化と画歪の両者へ地磁気が与える影響を、正確にかつ容易にしかも自動的に補正することができる。
【００２５】
次に、上述した実施の形態において地磁気センサー４０を装着する手順について説明する。
図５と図６に示す支持部３４は、すでに図４に示すようにシャーシ２２の上にたとえばねじにより固定されている。支持部３４の陰極線管支え４４は、たとえばシャーシ２２および支持部３４に対して垂直に立っている。
【００２６】
一方、図７と図８に示すホルダー４２に対して、図８に示すように地磁気センサー４０の基板７０を装着する。この基板７０の装着手順は、図１０と図１１に示している。
基板７０は、図１０に示すように挿入方向Ｅに沿ってやや斜め挿入されると、基板７０の先端部７０Ｆがガイド部８６上に案内されるので、基板７０の先端部７０Ｆは、ガイド部８６に沿って案内されて受け部９０の上に載る。
これと同時に、基板７０の後端部７０Ｇも受け部８８に載る。このようにして基板７０の下面が受け部８８，９０に載った状態は図１１に示しており、基板７０の上面７０Ｈは、押さえ部７８により押さえられている。このことから、図１０に示すように基板７０は、Ｚ方向に関して押さえ部７８と受け部８８，９０により位置決めが行われる。これと同時に基板７０は、Ｙ方向に沿ってストッパー８０，８２と内面９４の間で位置決めが行われる。さらに、図１２に示すように、基板７０の両端部７０Ｊが、ホルダー４２の内面９６，９６によりＸ方向に位置決めされる。
このように位置決めされた状態では、ホルダー４２および基板７０に対して外部から振動が加わったり、あるいはホルダー４２が落下したとしても、図１１に示すようにストッパー８０，８２の高さＨ１，Ｈ２が、受け部８８，９０の高さＨ３よりも大きいので、基板７０がストッパー８０，８２を乗り上げて脱落するようなことはない。
【００２７】
そして図１０に示すガイド部８６を受け部９０に設けることで、基板７０の先端部７０Ｆの挿入案内性を向上できる。
なお、図１０に示すように基板７０をＥ方向に斜めに挿入し始める時に、図１０に示すフランジ１９０がバネの役割をして、Ｚ２の方向に下がる。このことから、フランジ１９０が下がることでストッパー８０，８２が下がり挿入でき、挿入完了と同時に、フランジ１９０とストッパー８０，８２が元の位置に戻り基板７０がＹ方向に関して固定される。
【００２８】
図８と図１１のように基板７０がホルダー４２に装着されると、ホルダー４２は、図５に示すように陰極線管支え４４の垂直な取付部４９に対して取り付けられる。図１５に示すように取付部４９の開口部６４の中に爪部７４がＹ１の方向に差し込まれた後に、Ｚ２の方向に押し下げられる。これにより、爪部７４の溝７４Ｈの中に取付部４９の部分４９Ａが差し込まれる。この部分４９Ａの内面９４に対しては、リブ１１０が突き当っている。このことから、ホルダー４２は、取付部４９に対して垂直方向にしかも着脱可能に固定することができる。基板７０は取付部４９に対して水平に保持される。これと同時に図８に示す２つの爪部７６，７６は、図５の取付部４９の２つの開口部６６，６６に差し込まれる。これによって爪部７６，７６は、図８のＵ方向に弾性変形したのちに、逆方向に弾性復帰して開口部６６，６６に対してはめ込まれて固定される。
【００２９】
図１５に示す溝７４Ｈの最も小さい寸法Ｂ２は、取付部４９の寸法Ｂ１と同じ程度である。図１５に示すように、ホルダー４２が支持部３４の取付部４９に装着されると、次のようにしてホルダー４２が位置決めされる。すなわちホルダー４２の爪部７６が取付部４９の開口部６６にはめ込まれることにより、ホルダー４２および基板７０は、Ｚ方向に関して位置決めを行うことができる。ホルダー４２は爪部７６と爪部７４を用いて取付部４９に対して片持ち式に固定されているが、図１５に示すようにホルダー４２のリブ１１０を用いて、取付部４９の内面９４に対してＲ方向に回転しないように保持している。このリブ１１０が形成されているテーパ面７２Ｂの上部位置は射出成形の金型に対しての勾配であり、パーティングライン（Ｐ．Ｌ．）である。
【００３０】
また、図５に示すようにホルダー４２の爪部７４が開口部６４に対してはめ込まれ、爪部７６が開口部６６にはめ込まれていることにより、ホルダー４２と基板７０のＸ方向に関して位置決めされている。ホルダー４２と基板７０のＹ方向の位置決めは、爪部７４の溝７４Ｈに部分４９Ａがはまり込むことにより行っている。爪部７４の溝７４Ｈに部分４９Ａがはまり込むことにより、ホルダー４２と基板７０はＸ方向の位置決めをも行っている。爪部７６が開口部６６にはめ込まれていることで、ホルダー４２と基板７０はＺ方向の位置決めを行っている。
【００３１】
このようにしてホルダー４２は、Ｘ，Ｙ，Ｚおよび図１５に示すＲ方向に関して位置決めすることができる。結果として、地磁気センサー４０の基板７０は図５の支持部３４に対してＸ，ＹおよびＺとＲ方向に関して正確に位置決めすることができる。
以上のことから、地磁気センサー４０の第１コイル１２１と第２コイル１２２は、それぞれ図２に示す管軸１４０と左右水平方向１４１に沿って平行に向けて固定することができる。地磁気センサー４０は、地磁気の陰極線管に与えるビームランディング変化と画歪の両方への影響を、正確、かつ容易およびかつ自動的に補正することができる。
【００３２】
ところで本発明は上記実施の形態に限定されるものではない。
上述した実施の形態の表示装置は、たとえばコンピュータ用のディスプレイ装置の例を挙げているが、これに限らず、他の分野の装置に用いるディスプレイ装置や、あるいはテレビジョン受像機であっても勿論構わない。
また図４に示す支持部３４は、シャーシ２２と別部材になっているが、支持部３４はシャーシ２２と同じ部材から一体的に構成してもよい。この場合には陰極線管支え４４は、シャーシ２２から直接立ち上げて形成する。
陰極線管支え４４に代えて、別の部材を設けて、陰極線管を支えないようにし、この別の部材がホルダー４２を保持するようにしても勿論構わない。
【００３３】
【発明の効果】
以上説明したように、本発明によれば、筐体の中央に電源、偏向機能部搭載基板を配置する場合であっても、この電源、偏向機能部搭載基板からの磁界の影響を防いで、地磁気センサーにより地磁気を正確に検出することができる。
【図面の簡単な説明】
【図１】本発明の表示装置の好ましい実施の形態を示す後側から見た斜視図。
【図２】図１の表示装置を前側から見た斜視図。
【図３】表示装置の右側面図。
【図４】支持部とホルダーおよび地磁気センサーを示す側面図。
【図５】支持部とホルダーおよび地磁気センサーを示す斜視図。
【図６】支持部を示す斜視図。
【図７】ホルダーのみを示す斜視図。
【図８】ホルダーおよびホルダーに搭載された地磁気センサーを示す斜視図。
【図９】地磁気センサーの一例を示す斜視図。
【図１０】ホルダーに対して基板を挿入しようとする状態を示す図。
【図１１】基板がホルダーに装着された状態を示す図。
【図１２】基板がホルダーのＸ方向に関して位置決めされた状態を示す図。
【図１３】ホルダーの平面図。
【図１４】ホルダーの正面図。
【図１５】基板を装着したホルダーを、支持部の取付部に対して保持した状態を示す図。
【図１６】地磁気センサーと地磁気補正コイル等を示す図。
【図１７】従来の表示装置を示す斜視図。
【符号の説明】
１０・・・表示装置、１２・・・陰極線管、２２・・・シャーシ、２８・・・操作機能部搭載基板、３０・・・電源、偏向機能部搭載基板、３４・・・支持部、４０・・・地磁気センサー、４２・・・ホルダー、４４・・・陰極線管支え、１２１・・・第１コイル、１２２・・・第２コイル、Ｘ・・・左右方向、Ｙ・・・前後方向、Ｚ・・・上下方向、Ｒ・・・回転方向
【図１】
0004325103.tif 000002
【図２】
0004325103.tif 000003
【図３】
0004325103.tif 000004
【図４】
0004325103.tif 000005
【図５】
0004325103.tif 000006
【図６】
0004325103.tif 000007
【図７】
0004325103.tif 000008
【図８】
0004325103.tif 000009
【図９】
0004325103.tif 000010
【図１０】
0004325103.tif 000011
【図１１】
0004325103.tif 000012
【図１２】
0004325103.tif 000013
【図１３】
0004325103.tif 000014
【図１４】
0004325103.tif 000015
【図１５】
0004325103.tif 000016
【図１６】
0004325103.tif 000017
【図１７】
0004325103.tif 000018